(57)【特許請求の範囲】
【請求項１】
床上にゴム玉を落下させてそのとき発生する衝撃音を測定する際に用いられる床衝撃音測定用ゴム玉において、
当該ゴム玉（１）はシリコーンゴムによって成形されるとともに、中空形状をなす当該ゴム玉（１）には、内部エアを逃がすための孔（５）が設けられていることを特徴とする床衝撃音測定用ゴム玉。
【請求項２】
請求項１の床衝撃音測定用ゴム玉において、
当該ゴム玉（１）を黒色以外で着色したことを特徴とする床衝撃音測定用ゴム玉。
【請求項３】
請求項１の床衝撃音測定用ゴム玉において、
当該ゴム玉（１）は二つの半球状部品（２）（３）を接着することにより形成された中空形状のゴム玉（１）であり、前記二つの半球状部品（２）（３）にはその接合面に、接着時の位置ずれを防ぐための位置決め用の凹凸（４）が設けられていることを特徴とする床衝撃音測定用ゴム玉。
【発明の詳細な説明】
【０００１】
【発明の属する技術分野】
本発明は、床上にゴム玉を落下させてそのとき発生する衝撃音を測定する際に用いられる床衝撃音測定用のゴム玉に関するものである。
【０００２】
【従来の技術】
近年マンション等で、部屋内部で生じる騒音により下の部屋から苦情が出る等の問題が起きている。
【０００３】
このため、マンション等の建設時に部屋内部で発生する騒音を評価する方法として、部屋の床上にゴム玉を落下させ、そのときに発生する衝撃音の大きさを測定する方法が採られている。
【０００４】
しかしながら、従来、評価用として用いられているゴム玉は、材料が天然ゴムであるために、特性が雰囲気温度の影響を受け易く、部屋内部の環境温度によってはゴム玉落下時の床衝撃音を安定して測定することが困難である。
【０００５】
また、粘着摩耗によって繰り返し測定（落下）を行なった場合に特性が変化することがあり、このことも安定した測定の妨げとなっている。
【０００６】
更にまた、落下場所（コンクリート、フローリング等）によって使用するゴム玉を使い分ける必要がある場合、天然ゴムは着色することができないため、これらの用途に合わせてゴム玉を識別することが難しい。
【０００７】
【発明が解決しようとする課題】
本発明は以上の点に鑑みて、特性が雰囲気温度の影響を受けにくいとともに粘着摩耗によって変化しにくく、もって安定した測定を行なうことができる床衝撃音測定用ゴム玉を提供することを目的とする。
【０００８】
また、着色することができ、もって複数のゴム玉の色を異ならせることによりゴム玉同士を容易に識別することができる床衝撃音測定用ゴム玉を提供することを目的とする。
【０００９】
【課題を解決するための手段】
上記目的を達成するため、本発明の請求項１による床衝撃音測定用ゴム玉は、床上にゴム玉を落下させてそのとき発生する衝撃音を測定する際に用いられる床衝撃音測定用ゴム玉において、当該ゴム玉はシリコーンゴムによって成形されるとともに、中空形状をなす当該ゴム玉には、内部エアを逃がすための孔が設けられていることを特徴とするものである。
【００１０】
また、本発明の請求項２による床衝撃音測定用ゴム玉は、上記した請求項１の床衝撃音測定用ゴム玉において、当該ゴム玉を黒色以外で着色したことを特徴とするものである。
【００１１】
また、本発明の請求項３による床衝撃音測定用ゴム玉は、上記した請求項１の床衝撃音測定用ゴム玉において、当該ゴム玉は二つの半球状部品を接着することにより形成された中空形状のゴム玉であり、前記二つの半球状部品にはその接合面に、接着時の位置ずれを防ぐための位置決め用の凹凸が設けられていることを特徴とするものである。
【００１２】
上記構成を備えた本発明の請求項１によるゴム玉においては、当該ゴム玉が摂氏−３０度から８０度程度の範囲で温度依存性の少ないシリコーンゴムによって成形されているために、また当該ゴム玉に内部エアを逃がすための孔が設けられているために、ゴム玉の特性が雰囲気温度の影響を受けにくいものとなる。
【００１３】
また、当該ゴム玉が粘着摩耗の少ないシリコーンゴムによって成形されているために、繰り返し測定（落下）を行なった場合でもゴム玉の特性が変化しにくいものとなる。
【００１４】
更にまた、シリコーンゴムが着色可能なゴム材料であるため、請求項２に記載したように当該ゴム玉を黒色以外で着色することによって、複数のゴム玉の色を異ならせることによりゴム玉同士を容易に識別することが可能となる。
【００１５】
【発明の実施の形態】
つぎに本発明の実施例を図面にしたがって説明する。
【００１６】
図１は、本発明の実施例に係る床衝撃音測定用ゴム玉１の断面を示しており、このゴム玉１は以下のように構成されている。
【００１７】
すなわち、このゴム玉１は、二つの半球状部品２，３を接着することにより形成された中空形状のゴム玉であり、その外径寸法を実寸で約１８０ｍｍ（１７８ｍｍ）、内径寸法を実寸で約１１５ｍｍ（１１４ｍｍ）ほどの大きさに形成されている。
【００１８】
上記二つの半球状部品２，３にはその接合面に、接着時の位置ずれを防ぐための位置決め用の凹凸４が設けられており、また、一方の半球状部品２には、当該ゴム玉１が変形した際に内部エアを逃がすための孔５が設けられている。
【００１９】
また、このゴム玉１は、二つの半球状部品２，３が共に、温度依存性および粘着摩耗が少なくかつ着色が可能なシリコーンゴムによって成形されている。
【００２０】
また、製作工程は、以下のとおりである。
ａ．半球状部品を加硫成形
ｂ．半球状部品に接着剤塗布
ｃ．半球状部品を合わせて接着
ｄ．はみ出した接着剤の除去
ｅ．仕上げ
【００２１】
図２は、各ゴム材料静的弾性率の室温（摂氏２３度）に対する変化率（温度依存性）を示しており、このグラフから判るように、シリコーンゴム（ＶＭＱ）には、他のゴム材料（ＩＩＲ−１，ＩＩＲ−２，ＮＢＲ，ＮＲ（天然ゴム）等）と比較して摂氏−３０度から８０度程度の範囲で温度依存性が少ない特徴がある。したがってゴム玉１の特性が雰囲気温度の影響を受けにくいものとなり、よって安定した床衝撃音測定を行なうことができる。
【００２２】
また併せて、シリコーンゴムに粘着摩耗が少ない特徴があるために、繰り返し測定（落下）を行なった場合でも特性が変化しにくく、よって安定した床衝撃音測定を行なうことができる。
【００２３】
更にまた、シリコーンゴムが着色可能なゴム材料であるために、複数のゴム玉１を白、赤、黄、青など異なる色に着色することによってゴム玉１同士を容易に識別することが可能となり、複数のゴム玉１を容易に使い分けすることができる。
【００２４】
【発明の効果】
本発明は、以下の効果を奏する。
【００２５】
すなわち、上記構成を備えた本発明の請求項１によるゴム玉においては、当該ゴム玉が摂氏−３０度から８０度の範囲で温度依存性の少ないシリコーンゴムによって成形されるとともに、中空形状をなす当該ゴム玉に内部エアを逃がすための孔が設けられているために、ゴム玉の特性が雰囲気温度の影響を受けにくい。したがって地域（北海道から沖縄までの日本全国）、季節または天候等に左右されることなく、安定した床衝撃音測定を行なうことができ、測定精度を向上させることができる。
【００２６】
また併せて、当該ゴム玉が粘着摩耗の少ないシリコーンゴムによって成形されているために、繰り返し測定（落下）を行なった場合でもゴム玉の特性が変化しにくい。したがってこの点からも、安定した床衝撃音測定を行なうことができ、測定精度を向上させることができる。
【００２７】
またこれに加えて、上記構成を備えた本発明の請求項２によるゴム玉においては、当該ゴム玉を黒色以外で着色することにしたために、複数のゴム玉を異なる色に着色することによりゴム玉同士を容易に識別することが可能となる。したがって落下場所によって使用するゴム玉を使い分ける必要がある場合でも使用すべきゴム玉を容易に識別することが可能となり、複数のゴム玉を容易に使い分けすることができる。
【図面の簡単な説明】
【図１】  本発明の実施例に係る床衝撃音測定用ゴム玉の断面図
【図２】  雰囲気温度による各ゴム材料静的弾性率の変化状況を示すグラフ図
【符号の説明】
１  床衝撃音測定用ゴム玉
２，３  半球状部品
４  凹凸
５  孔
【図１】
0003849536.tif 000002
【図２】
0003849536.tif 000003